(57)【要約】【課題】底部が強固で耐久力があり、一方収容物が少なくなったり無くなっても、底面の水平・平面性が維持され、かつ安定して収容物を購買者の方に向ける段付き折り畳み容器を提供すること。【解決手段】板状に折り畳み可能で、展帳したとき収容物の有無に拘わらず常に水平な底面を有する折り畳み容器部と、常に安定して定位置で垂直状態を維持し収容物を固定する垂直部材を有する段付き載置部とからなる段付き折り畳み容器。【選択図】図１
2019089571.tif 000002
【特許請求の範囲】
【請求項１】
折り畳み容器部（１００）と、段付き載置部（２００）を有する段付き折り畳み容器であって、
折り畳み容器部（１００）が、第１長側面部（Ａ）と、第１短側面部（Ｂ）と，第２長側面部（Ｃ）と、第２短側面部（Ｄ）とを有し、
第１長側面部（Ａ）の第１下辺（１０１）から延びた長方形の下長底面部（Ｆ）と、第２長側面部（Ｃ）の第２下辺（１０２）から延びた上長底面部（Ｅ）と、第１短側面部（Ｂ）の第３下辺（１０３）から延びた台形の第１短底面部（Ｇ）と、第２短側面部（Ｄ）の第４下辺（１０４）から延びた台形の第２短底面部（Ｈ）とを有し、
上長底面部（Ｅ）の先端に設けられた突起（１０５）と、第１下辺（１０１）に設けられて前記突起（１０５）が挿入される溝（１１０）とを有し、
第１短底面部（Ｇ）が、第１短側面部（Ｂ）の第３下辺（１０３）に対し４５°傾斜した第１折り線（１１２）を介してかつ該第１折り線（１１２）から下長底面部（Ｆ）の方向へ延び、下長底面部（Ｆ）に貼付される第１のりしろ（Ｊ）を有し、
第２短底面部（Ｈ）が、第２短側面部（Ｄ）の第４下辺（１０４）に対し４５°傾斜した第２折り線（１１４）を介してかつ該第２折り線（１１４）から上長底面部（Ｅ）の方向へ延び、上長底面部（Ｅ）へ貼付される第２のりしろ（Ｋ）を有し、
上長底面部（Ｅ）の第２短底面部（Ｈ）側の領域が、上長底面部（Ｅ）の先端側が第２長側面部（Ｃ）と前記第２短側面部（Ｄ）との第１境界辺（１０６）の延長線から離れるように傾斜した強化山折り線（１１６）を有し、下長底面部（Ｆ）の第２短底面部（Ｇ）側の先端側が、第１長側面部（Ａ）と第１短側面部（Ｂ）との第２境界辺（１０７）の延長線から離れるように傾斜し、
第１のりしろ（Ｊ）が、第３下辺（１０３）の延長方向に関し下長底面部（Ｆ）側の端辺（１２４）より凹みかつ第１折り線（１１２）に沿った第１切り込み（１２２）を有し、第２のりしろ（Ｋ）が、第４下辺（１０４）の延長方向に関し上長底面部（Ｅ）側の端辺（１２０）より凹みかつ第２折り線（１１４）に沿った第２切り込み（１２６）を有し、
段付き載置部（２００）が、前傾斜載置面部（２１４）と、  後傾斜側面部（２４６）とを有し、前傾斜載置面部（２１４）と後傾斜側面部（２４６）の間に形成されかつ前傾斜載置面部（２１４）と後傾斜側面部（２４６）のうちの最も高い位置より高く延びた垂直壁面部（２０４、２０８）が、その高さ中間部を前傾斜載置面部（２１４）によって支持され、下端部を後傾斜側面部（２４６）によって支持されていることを特徴とする段付き折り畳み容器。
【請求項２】
前記第１長側面部（Ａ）と、第１短側面部（Ｂ）と，第２長側面部（Ｃ）と、第２短側面部（Ｄ）との内の少なくとも一つが、通気孔を有することを特徴とする請求項１に記載の段付き折り畳み容器。
【請求項３】
前記第１長側面部（Ａ）と、第１短側面部（Ｂ）と，第２長側面部（Ｃ）と、第２短側面部（Ｄ）との少なくとも一つが、上端にタグを有することを特徴とする請求項１に記載の段付き折り畳み容器。
【請求項４】
前記垂直壁面部が、前傾斜載置面部（２１４）と連続した第１板状体と、後傾斜側面部（２４６）と連続した第２板状体を貼り合わせてなることを特徴とする請求項１に記載の段付き折り畳み容器。
【請求項５】
前記垂直壁面部が、１枚の板状体を折り返してなることを特徴とする請求項１に記載の段付き折り畳み容器。
【発明の詳細な説明】
【技術分野】
【０００１】
本発明は、段付き折り畳み容器、さらに詳しくは、展張して商品等を区分して整理しかつ購買者が見易いように傾斜させて陳列する等のために使用され、また運搬・保管に都合良く平板状に折り畳むことができ、さらにこれら展張及び折り畳みを何ら磨り減りや破壊がなく繰り返ととなとなしてできる段付き折り畳み容器に関する。
【０００２】
本明細書において、裁断したシートを折り曲げたり貼付して、ワンタッチで箱状にできるようにすることを「組み立て」と言い、組み立てたものを箱状にすることを「展張」または「セットアップ」と言い、収容物のない空の展張したものを押し潰して平板状にすることを「折り畳む」という。
【背景技術】
【０００３】
従来、陳列棚、陳列ショウケース等で商品を整列させて配置する場合、剥き出しで台無しで配置したり、トレーを使用したり、蓋部を除去して開封した段ボール箱の残部をトレーと同じように使用する等が行われている。
剥き出しで陳列棚に直接置く場合、商品を取り出すことにより隣接した他の商品が移動し、商品の整列を維持することが困難であり、さらに並べ換えも手数がかかり、困難である。
トレーは、周囲の側部壁が低く、商品等がトレーから滑り出したり、積み上げた商品が崩れてしまう恐れがある。一方、側部壁が高いトレーは、トレーの運搬や保管に不便であるという問題がある。
前記蓋部を除去して開封する箱は、一般に使い捨てであり、資源の無駄であるばかりでなく、ゴミ廃棄の問題も発生する。
【０００４】
蓋部を除去して開封する箱に類似するものとして、合成樹脂の成形品であって、展張、組み立て、折り畳み、分解等が可能な容器もある。しかし、合成樹脂の成形は、構成部品毎に高い製造コストを要する成形用金型が必要であり、少数の製造には製造コストの問題で利用されていないのが実情である。従って、少数製造の箱は、厚紙や段ボール紙を使用し、裁断及び貼付によって形成することが、製造コストの問題や、流行に合った展示や販促を容易に行うことができることから望ましい。
【０００５】
厚紙や段ボール紙を使用し、裁断によって形成する容器としては、以下に説明する底部構造を有する紙箱が提案されている。すなわち、図１３に示すように、箱体を構成する側面４０１，４０２と妻面４０３，4０４とを交互に連接し、各側面及び妻面の底辺４１７〜４２０を連接した紙箱であって、一つの側面の底面構成部材は妻面底辺の半巾以下の巾の半底面板４１７とし、他方の底面構成部材は底面全体に亘る全底面板４１８とし、妻面４０３，４０４の底面構成部材４１９，４２０は略台形とし、各底板は隣接する半底面板４１７又は全底面板４１８に一部が接着して底蓋が構成され、全底面板４１８に接着させる底板の一部を更に延長させて接着部４１９ｂ、４２５を形成し、該接着部の延長基部に剛性緩和用の切込み４２６を設けた紙箱の底部構造が提案されている（例えば、特許文献１参照）。全底面板４１８は、折り目４１８ａ（図示せず）を持っている。
【０００６】
また、折り畳み容器の側面の延長部分等を所定位置に折り返した状態を維持するために、該延長部分の先端に突起を設け、該突起を側面下端に設けた溝に差し込む構成も提案されている（例えば、特許文献２参照）。
【先行技術文献】
【特許文献】
【０００７】
【特許文献１】実開昭５７−１８０６１７号公報
【特許文献２】特開平１０−４５１２２号公報
【発明の概要】
【発明が解決しようとする課題】
【０００８】
前記特許文献１等によって提案された紙箱は、図１３を参照して、接着部４１９ｂが側面４０１と半底面板４１７との境界稜線まで延びておらず、また接着部４２５が側面４０２と全底面板１１８との境界凌線まで延びておらず、半底面板４１７及び全底面板４１８の底面としての耐久性が低い。そのため、この紙箱は、液体を充填した瓶等を収容する容器や比重の大きな物体を収容する容器用としては不適切である。すなわち、この箱に重量物を収容した場合、底板部が下向きに歪んだり、接着が剥がれていわゆる底抜けになる恐れがある。
【０００９】
前記特許文献１等によって提案された紙箱は、また、上述したように接着部の延長基部に剛性緩和用の切込み４２６を設けている。しかし、それでも折り畳み容器を折り畳み状態から展張して組み立てた時、全底面板４１８は接着部４２５の下方へ引っ張る力を超えて折り畳み状態に戻ろうとする力すなわち全底面板４１８が持ち上がろうとする力が残存している。その結果、展張後に直ちに折り畳み容器に重量のある物体を入れるか、手で全底面板１１８を押し下げる等する必要がある。この底板が持ち上がるという性向は、該折り畳み容器に軽い物体を入れた場合は、底部が持ち上がって傾斜することにより、底板上で整列していた収容物が転倒したり散乱するという不都合が生じてしまう。持ち上がった底板上に初めて商品を入れるときも同様な不都合が発生する。
【００１０】
前記特許文献１等によって提案された紙箱は、さらに、購買者が収容物を良く見えるように、平置きでなく購買者に向けて傾斜させて収容するために該紙箱内に傾斜段を設ける場合、収容物を載置しておらず軽量な段付け部材が所定位置から持ち上がってしまい、商品等の内容物が前記段付け部材上で不整然となってしまう問題がある。
【００１１】
（発明の目的）
本発明は、従来の折り畳み容器に関する上述した問題に鑑みてなされたものであって、特に載置された収容物の向きに注目し、かつ収容物が少なくなったり無くなったりしても、底面の水平・平面性が維持され、展示会の展示品の整理や、販売用ショウケースの商品の整理・展示用に好適に使用でき、収容物を購買者等に向けて傾斜させて注意力を引きつけて販促効果を高める段付き折り畳み容器を提供することを目的とする。
【００１２】
本発明はまた、板状への折り畳み及び展張（セットアップ）の操作が容易で、かつ不使用で保管管理している板状の折り畳み状態及び展張（セットアップ）の状態が高精度に再現でき、さらに、板状への折り畳み及び展張を繰り返して使用可能な期間すなわち製品寿命が長い段付き折り畳み容器を提供することを目的とする。
【００１３】
本発明はさらに、段付き折り畳み容器内に、強固な垂直部材があり、収容物の整理が容易であることに加えて、収容物が少なくなっても或いは無くなっても垂直部材が所定の位置に所定の形態で存在し続ける段付き折り畳み容器を提供することを目的とする。
【課題を解決するための手段】
【００１４】
本発明は、
折り畳み容器部と、段付き載置部を有する段付き折り畳み容器であって、
折り畳み容器部が、第１長側面部と、第１短側面部と，第２長側面部と、第２短側面部とを有し、
第１長側面部の第１下辺から延びた長方形の下長底面部と、第２長側面部の第２下辺から延びた上長底面部と、第１短側面部の第３下辺から延びた台形の第１短底面部と、第２短側面部の第４下辺から延びた台形の第２短底面部とを有し、
上長底面部の先端に設けられた突起と、第１下辺に設けられて前記突起が挿入される溝とを有し、
第１短底面部が、第１短側面部の第３下辺に対し４５°傾斜した第１折り線を介してかつ該第１折り線から下長底面部の方向へ延び、下長底面部に貼付される第１のりしろを有し、
第２短底面部が、第２短側面部の第４下辺に対し４５°傾斜した第２折り線を介してかつ該第２折り線から上長底面部の方向へ延び、上長底面部へ貼付される第２のりしろを有し、
上長底面部の第２短底面部側の領域が、上長底面部の先端側が第２長側面部と前記第２短側面部との第１境界辺の延長線から離れるように傾斜した強化山折り線を有し、下長底面部の第２短底面部側の先端側が、第１長側面部と第１短側面部との第２境界辺の延長線から離れるように傾斜し、
第１のりしろが、第３下辺の延長方向に関し下長底面部側の端辺より凹みかつ第１折り線に沿った第１切り込みを有し、第２のりしろが、第４下辺の延長方向に関し上長底面部側の端辺より凹みかつ第２折り線に沿った第２切り込みを有し、
段付き載置部が、前傾斜載置面部と、後傾斜側面部とを有し、前傾斜載置面部と後傾斜側面部の間に形成されかつ前傾斜載置面部と後傾斜側面部のうちの最も高い位置より高く延びた垂直壁面部が、その高さ中間部を前傾斜載置面部によって支持され、下端部を後傾斜側面部によって支持されていることを特徴とする段付き折り畳み容器
である。
【００１５】
本発明の実施態様は、以下の通りである。
前記本発明の段付き折り畳み容器において、前記第１長側面部と、第１短側面部と，第２長側面部と、第２短側面部との内の少なくとも一つが、通気孔を有することを特徴とする。
前記本発明の段付き折り畳み容器において、前記第１長側面部と、第１短側面部と，第２長側面部と、第２短側面部との少なくとも一つが、上端にタグを有することを特徴とする。
前記本発明の段付き折り畳み容器において、前記垂直壁面部が、前傾斜載置面部と連続した第１板状体と、後傾斜側面部と連続した第２板状体を貼り合わせてなることを特徴とする。
前記本発明の段付き折り畳み容器において、前記垂直壁面部が、１枚の板状体を折り返してなることを特徴とする。
【発明の効果】
【００１６】
本発明の段付き折り畳み容器によれば、特に載置された収容物の向きに注目し、かつ収容物が少なくなったり無くなったりしても、底面の水平・平面性が維持され、展示会の展示品の整理や、販売用ショウケースの商品の整理・展示用に好適に使用でき、収容物を購買者等に向けて傾斜させて注意力を引きつけて販促効果を高めることができる。
【００１７】
本発明の段付き折り畳み容器によればまた、板状への折り畳み及び展張（セットアップ）の操作が容易で、かつ不使用で保管管理している板状の折り畳み状態及び展張（セットアップ）の状態が高精度に再現でき、さらに、板状への折り畳み及び展張を繰り返して使用可能な期間すなわち製品寿命が長いとう利点を得ることができる。
【００１８】
本発明の段付き折り畳み容器によればさらに、段付き折り畳み容器内に、強固な垂直部材があり、収容物の整理が容易であることに加えて、収容物が少なくなっても或いは無くなっても垂直部材が所定の位置に所定の形態で存在し続けることができる。すなわち、本発明においては、特に、前傾斜載置面部と後傾斜側面部の間に形成された垂直壁面部が収容物の整然とした収容状態を維持し、該垂直壁面部をその高さ中間部を前傾斜載置面部によって支持し、下端部を後傾斜側面部によって支持することによって垂直壁面部の構成を強固にしている。
【図面の簡単な説明】
【００１９】
【図１】本発明の実施例の段付き折り畳み容器の斜視図である。
【図２】本発明の実施例の折り畳み容器部の展開図である。
【図３】本発明の実施例の展張途中の状態の折り畳み容器部の平面図である。
【図４】本発明の実施例の展張途中の状態の折り畳み容器部の底面図である。
【図５】本発明の実施例の展張された状態の折り畳み容器部の平面図である。
【図６】本発明の実施例の展張された状態の折り畳み容器部の底面図である。
【図７】本発明の実施例の段付き載置部の斜視図である。
【図８】本発明の実施例の前傾斜面板の平面図である。
【図９】本発明の実施例の後傾斜面板の平面図である。
【図１０】本発明の他の実施例の段付き載置部の斜視図である。
【図１１】本発明の他の実施例の段付き載置部の載置台板材の平面図である。
【図１２】本発明の他の実施例の段付き載置部の断面図である。
【図１３】公知の折り畳み容器の展張途中の状態の底面斜視図である。
【発明を実施するための形態】
【００２０】
（構成）
以下に、本発明の実施例を図に基づいて説明する。
本実施例の段付き折り畳み容器１は、アイスクリーム等の商品を冷凍ショウケースにおいて購買者等に向けて傾斜させた陳列する、すなわち収容した商品を購買者等に向けて傾斜した状態で整列させて積み上げ、無くなった場合に補充し、また並べ替えたり、入れ替えたりすることを効率的に行うことができ、さらに長期にわたり繰り返し使用することができる折り畳み容器であり、上部が開放されており、蓋部材はない。本実施例の段付き折り畳み容器１は、また、折り畳んで板状にすることができる。
【００２１】
複数の商品等の収容品Ｐを傾斜させて収容した段付き折り畳み容器１は、折り畳み容器部１００を部分的に切欠いた斜視図である図１に示すように、折り畳み容器部１００と、段付き載置部２００とからなる。折り畳み容器部１００と、段付き載置部２００は、吸水性のない汚れにくい表面を持った紙又は樹脂製のシートを裁断することによって形成される。
【００２２】
［折り畳み容器部］
（構成）
折り畳み容器部１００は、図２に示すように、順次連続して形成される長方形の第１長側面部Ａと、第１短側面部Ｂと，第１長側面部Ａと同じ形・寸法の第２長側面部Ｃと、第１短側面部Ｂと同じ形・寸法の第２短側面部Ｄとを有する。
第１長側面部Ａ、第１短側面部Ｂ，第２長側面部Ｃ、及び第２短側面部Ｄは、複数の縦長の通気孔Ｌが整列して形成される。
第１長側面部Ａの第１短側面部Ｂと反対側の端部には、第２短側面部Ｄに貼付される側面のりしろＭが形成される。
【００２３】
第１長側面部Ａは、その第１下辺１から延びた下長底面部Ｆを有する。第２長側面部Ｃは、その第２下辺１０２から延びた長方形の上長底面部Ｅを有する。
第１短側面部Ｂは、その第３下辺１０３から延びた台形の第１短底面部Ｇを有する。第１短側面部Ｂは、また、第１短底面部Ｇと反対側の第３上辺１１１から延びた長方形の掲示面部Ｑを有する。掲示面部Ｑは、商品等である収容品Ｐの商標や販促キャッチフレーズ等を表示する。第２短側面部Ｄは、その第４下辺１０４から延びた台形の第２短底面部Ｈを有する。
【００２４】
第１短底面部Ｇは、第１短側面部Ｂの第３下辺３に対し４５°傾斜した第１折り線１１２を介してかつ該第１折り線１１２から下長底面部Ｆの方向へ延びた第１のりしろＪを有する。
第２短底面部Ｈは、第２短側面部Ｄの第４下辺１０４に対し４５°傾斜した第２折り線１１４を介してかつ該第２折り線１１４から上長底面部Ｅの方向へ延びた第２のりしろＫを有する。
【００２５】
上長底面部Ｅは、その先端に突起１０５を有する。突起１０５は、展張の際に第２下辺２に設けられた溝１１０に挿入される。
【００２６】
第１のりしろＪは、第３下辺３の延長方向に関し下長底面部Ｆ側の端辺１２４より凹んでおりかつ第１折り線１１２に沿って形成された第１切り込み１２２を有する。
第２のりしろＫは、第４下辺４の延長方向に関し上長底面部Ｅ側の端辺１２０より凹んでおりかつ第２折り線１１４に沿って形成された第２切り込み１２６を有する。
【００２７】
上長底面部Ｅは、第２下辺１０２と第１境界辺１０６の第１交点１３０から、先端に行くに従って第２短底面部Ｈから離れる方向へ延びた強化山折り線１１６を有する。第１境界辺１０６は、第２長側面部Ｃと第２短側面部Ｄの境界である。
下長底面部Ｆは、第１下辺１０１と第２境界辺１０７の第２交点１３４から、先端に行くに従って第１短底面部Ｇから離れる方向へ延びた直線上で切断されている。第２境界辺１０７は、第１長側面部Ａと第１短側面部Ｂの境界である。
【００２８】
（組み立て）
上長底面部Ｅにおいて、第２短底面部Ｈ側の折り返し部分Ｎが、図２に示す強化折り線１１６が山折線となるようにすなわち紙面の裏側へ、折り返しされる。
【００２９】
次に、側面のりしろＭの表面または裏面に貼付のりを塗る。第１のりしろＪ及び第２のりしろＫの図２における裏面の各全面に貼付のりを塗る。
【００３０】
次に、図３〜図６に示すように、側面のりしろＭ、第１のりしろＪ及び第２のりしろＫの貼付のりを塗った面を、それぞれ第２短側面部Ｄ、上長底面部Ｅ及び半長底面部Ｆの第１図における表面に貼り付ける。
【００３１】
（折り畳み・展張）
上述した組み立てをした図３及び図４に示す状態の折り畳み容器を、同図における左右方向から押して左右方向の寸法を縮小させると、第１短底面部Ｇが、第１のりしろＪを介して下長底面部Ｆを引き下げる。また、第２短底面部Ｈが、第２のりしろＫを介して上長底面部Ｅを引き下げる。その結果、図５及び図６に示すように、容器として使用可能な展張状態となる。
【００３２】
図２及び図３に示すように、折り返し部分Ｎを設けたため、この展張作動において、上長底面部Ｅと第２短側面部Ｄとの間に摩擦抵抗力が発生せず、展張を妨げられることはない。さらに、下長底面部Ｆが、第１下辺１と第２境界辺１０７の第２交点１３４から、先端に行くに従って第２短底面部Ｇから離れる方向へ延びた直線上で切断されているため、下長底面部Ｆと第１短側面部Ｂとの間に摩擦抵抗力が発生せず、展張が妨げられることはない。
最後に、全長底面部Ｅを下方へ押し込み、全長底面部Ｅの突起１０５を溝１１０に差し込む。
【００３３】
この展張の結果、折り畳み容器１００の底部は、第１のりしろＪと下長底面部Ｆとの貼付及び第２のりしろＫと上長底面部Ｅとの貼付に加えて、上長底面部Ｅと半長底面部Ｆが、上長底面部Ｅと連続した折り返し部分Ｎを挟み込む。そのため、折り畳み容器の底部は、大きな剛性を有し、大きな耐久力を持った構成となり、重量物を収容しても底部が押し下げられて変形する恐れが小さくなる。
【００３４】
一方、上長底面部Ｅの突起１０５が溝１１０に差し込まれているため、収容物が少なくなって底部への荷重が軽くなったり、さらに荷重ゼロになっても、上長底面部Ｅは所定の水平平面状態を維持する。この構成は、収容物の入れ替えを効率良く行うことができるだけでなく、安定した水平面上で収容物を常に継続して整頓状態にしておくことができるという大きな利点を有する。
【００３５】
収容物のない折り畳み容器を運搬したり保管するときは、折り畳む。折り畳みは、内部底部の強化折り線１１６に指をかけて持ち上げ、突起１０５を溝１１０から外す。この作動は、全長底面部Ｅを第１下辺１を中心にして揺動するように持ち上げることになる。次いで、図３及び図４における上下方向に押し潰す。
【００３６】
この折り畳み時、第１のりしろＪが、第３下辺３の延長方向に関し下長底面部Ｆ側の端辺１２４より凹んでおりかつ第１折り線１１２に沿って形成された切り込み１２２を有するため、下長底面部Ｆと第１短底面部Ｇが存在する底隅部は、シートが過剰に折り重なることがなく、容易に折り畳み状態にすることができる。
【００３７】
また、第２のりしろＫが、第４下辺４の延長方向に関し下長底面部Ｆ側の端辺１２０より凹んでいてかつ第２折り線１１４に沿って形成された切り込み１２６を有するため、下長底面部Ｆと第２短底面部Ｈが存在する底隅部は、シートが過剰に折り重なることがなく、容易に折り畳み状態になることができる。
【００３８】
［段付き載置部］
（構成）
段付き載置部２００は、図７に示すように、前傾斜面板２０２の前垂直壁面部２０４の後側面と、後傾斜面板２０６の前垂直壁面部２０８（破線で示す）の前側面とを貼り付けてなる。図７〜９において、左側が前であり、右側が後である。また、段付き載置部２００の左右は、前から後を見たときの左右である。
【００３９】
前傾斜面板２０２は、図８に示すように、前水平延長面部２１０と、前水平延長面部２１０に第１ミシン目折れ線２１２（谷折り）を介して連接する前傾斜載置面部２１４と、前傾斜載置面部２１４に第２ミシン目折れ線２１６（谷折り）を介して連接する前垂直壁面部２０４とを有する。
前傾斜載置面部２１４の右縁には、第１折れ線２２０（山折り）を介して前右傾斜側面部２２２が連接され、前右傾斜側面部２２２には第２折れ線２２４（山折り）を介して右傾斜台面部２２６が連接されている。
前傾斜載置面部２１４の左縁には、第３折れ線２３０（山折り）を介して前左傾斜側面部２３２が連接され、前左傾斜側面部２３２には第４折れ線２３４（山折り）を介して左傾斜台面部２３６が連接されている。
【００４０】
後傾斜面板２０６は、図９に示すように、前垂直壁面部２０８と、前垂直壁面部２０８に第３ミシン目折れ線２４０（谷折れ）を介して連接する後水平延長面部２４２と、後水平延長面部２４２に第４ミシン目折れ線２４４（谷折れ）を介して連接する後傾斜側面部２４６と，後傾斜側面部２４６に第５折れ線２４８（山折り）を介して連接する垂直壁後面部２５０とを有する。
後傾斜側面部２４６の右縁には、第６折れ線２５２（山折れ）を介して後右傾斜側面部２５４が連接されている。後傾斜側面部２４６の左縁には、第７折れ線２５６を介して後左傾斜側面部２５８が連接されている。
【００４１】
前水平延長面部２１０と後水平延長面部２４２は、寸法や形状の異なる収容物を収容するとき、寸法や形状の違いを吸収して、常に整然と載置することを可能にする。
【００４２】
前傾斜面板２０２の前垂直壁面部２０４の後側面の幅（図７における高さ）は約１２ｃｍであり、後傾斜面板２０６の前垂直壁面部２０８（破線で示す）の前側面の幅（図７における高さ）は１６ｃｍである。これらの幅（図７における高さ）に関し、前傾斜面板２０２の前垂直壁面部２０４の後側面の幅（図７における高さ）が後傾斜面板２０６の前垂直壁面部２０８（破線で示す）より小さいことが必要である。両者の比は、本実施例では３：４であるが、１：２、２：３、３：５、４:５等制限はなく、自由に選択できる。
【００４３】
（組み立て）
段付き載置部２００は、図７に示すように、前傾斜面板２０２の前垂直壁面部２０４の後側面と、後傾斜面板２０６の前垂直壁面部２０８（破線で示す）の前側面とをそれぞれの上縁が一致するにように位置決めして貼り付ける。
【００４４】
前傾斜面板２０２において、前傾斜載置面部２１４を前垂直壁面部２０４との挟角が略１０５度となるように谷折りする。また、前水平延長面部２１０を前傾斜載置面部２１４との挟角が略１６５度となるように谷折りする。
また、前右傾斜側面部２２２が前傾斜載置面部２１４に対し略直角となるように第１折れ線２２０に沿って山折し、右傾斜台面部２２６を前右傾斜側面部２２２に対し略直角となるように第２折れ線２２４に沿って山折りする。同様に、前左傾斜側面部２３２が前傾斜載置面部２１４に対し略直角となるように第２折れ線２３０に沿って山折し、左傾斜台面部２３６を前左傾斜側面部２３２に対し略直角となるように第４折れ線２３４に沿って山折りする。
【００４５】
さらに、後傾斜面板２０６において、後水平延長面部２４２が後傾斜面板２０６に対し略直角となるように第３ミシン目折れ線２４０に沿って谷折りする。さらに、後傾斜側面部２４６を後水平延長面部２４２との挟角が略１６５度となるように谷折りする。さらに、垂直壁後面部２５０を後傾斜側面部２４６との挟角が略７５度となるように山折りする。
後右傾斜側面部２５４を後傾斜側面部２４６に対し略直角なるように第５折れ線２５２に沿って山折りする。後左傾斜側面部２５８を後傾斜側面部２４６ｂと略直角なるように第６折れ線２５６に沿って山折りする。
【００４６】
［段付き載置部の変形例］
（構成）
変形例の段付き載置部３００は、図１１に示すように、一枚の載置台板材３０１を裁断して折り曲げて形成され、前傾斜載置面部３０２と後傾斜載置面部３０４とを有する。図１０〜１３において、左側が前であり、右側が後である。前傾斜載置面部３０２と後傾斜載置面部３０４との間において、収容品の移動を制限するための垂直な壁が非常に低く、例えば収容品の一個の高さに等しい高さである。
【００４７】
載置台板材３０１は、図１１に示すように、前傾斜載置面部３０２と、前傾斜載置面部３０２に第１１折れ線３０５（山折り）を介して連接した前傾斜壁面部３０６と、前傾斜壁面部３０６に第１２折れ線３０８（谷折り）を介して連接した後傾斜載置部３０４と、後傾斜載置部３０４に第１３折れ線３１０（山折り）を介して連接した後垂直壁面部３１２と、後垂直壁面部３１２に第１４折れ線３１４（山折り）を介して連接した底面部３１６とを有する。
【００４８】
前傾斜載置面部３０２の前側縁線の中央には、第１１ミシン目折れ線３２０（山折り）を介して前差込み部３２２が形成されている。前傾斜壁面部３０６の後傾斜載置部３０４側には、後傾斜載置部３０４から第１２ミシン目折れ線３０８（谷折り）を介して後差込み部３２６が形成されている。底面部３１６には、後差込み部３２６が差込まれる後差込溝３３０と、前差込み部３２２が差込まれる前差込み溝３３２が形成されている。
【００４９】
前傾斜載置面部３０２の右縁には第１５折れ線３４０（山折り）を介して略三角形の前右傾斜側面部３４２が連接され、また、前傾斜載置面部３０２の左縁には第１６折れ線３４４（山折り）を介して略三角形の前左傾斜側面部３４６が連接されている。
後傾斜載置面部３０４の右縁には第１７折れ線３５０（山折り）を介して略三角形の後右傾斜側面部３５２が連接され、また、後傾斜載置面部３０４の左縁には第１８折れ線３５４（山折り）を介して略三角形の後左傾斜側面部３５６が連接されている。
【００５０】
（組み立て）
載置台板材３０１において、図１０の線Ｓ−Ｓに沿った断面図である図１２に示すように、前傾斜壁面部３０６を第１１ミシン目折れ線３０５に沿って前傾斜載置面部３０２に対し略直角に山折りし、後傾斜載置面部３０４を第１２ミシン目折れ線３０８に沿って略直角に谷折りする。さらに、後垂直壁面部３１２を第１３折れ線３１０に沿って後傾斜載置面部３０４との挟角が略７５度になるように山折りする。さらに、底面部３１６を第１４折れ線３１４に沿って略１８０度山折り、すなわち折り返す。
【００５１】
また、後差込み部３２６を後傾斜載置面部３０４に対し略１５度谷折りし、後差込み溝３３０に差込む。さらに、前差込み部３２２を前差込み溝３３２に差し込む。前差込み部３２２は、前差込み溝３３２に差込まれた後、第１１ミシン目折れ線３２０に沿って前傾斜載置面部３０２との挟角が略７５度当業者なるように山折りされ、底面部材３１６の下面に貼付される。
【００５２】
前右傾斜側面部３４２を第１５折れ線３４０に沿って略直角に山折りし、また、前左傾斜側面部３４６を第１６折れ線３４４を介して略直角に山折りする。さらに、後右傾斜側面部３５２を第１７折れ線３５０に沿って略直角に山折りし、また、第１８折れ線３５４に沿って略直角に山折りする。
【符号の説明】
【００５３】
Ａ          第１長側面部
Ｂ          第１短側面部
Ｃ          第２長側面部
Ｄ          第２短側面部
Ｅ          全長底面部
Ｆ          半長底面部
Ｇ          第１短底面部
Ｈ          第２短底面部
Ｊ          第１のりしろ
Ｋ          第２のりしろ
Ｌ          通気孔
Ｍ          側面のりしろ
Ｎ          折り返し部分
Ｑ          掲示面部
１          段付き折り畳み容器
１００      折り畳み容器部
１０２      第２下辺
１０３      第３下辺
１０４      第４下辺
１０５      突起
１０７      第２境界辺
１１０      溝
１１４      第２折り線
１１６      強化折り線
１２０      端辺
１２１      辺
１２２      第１切り込み
１２６      第２切り込み
２００      段付き載置部
２０２      前傾斜面板
２０４      前垂直壁面部
２０６      後傾斜面板
２０８      前垂直壁面部
２１０      前水平延長面部
２１２      第１ミシン目折れ線
２１４      前傾斜載置面部
２１６      第２ミシン目折れ線
２２２      前右傾斜側面部
２２６      右傾斜台面部
２３２      前左傾斜側面部
２４２      後水平延長面部
２４６      後傾斜側面部
２５０      垂直壁後面部
【図１】
2019089571.tif 000003
【図２】
2019089571.tif 000004
【図３】
2019089571.tif 000005
【図４】
2019089571.tif 000006
【図５】
2019089571.tif 000007
【図６】
2019089571.tif 000008
【図７】
2019089571.tif 000009
【図８】
2019089571.tif 000010
【図９】
2019089571.tif 000011
【図１０】
2019089571.tif 000012
【図１１】
2019089571.tif 000013
【図１２】
2019089571.tif 000014
【図１３】
2019089571.tif 000015